(57)【要約】【課題】本発明の課題は、光配線時に光コードを任意の長さに調整でき、余長の発生を抑制することができる光コード収容物品を提供することにある。【解決手段】本発明は、光コード１１が巻取り可能な一対の余長巻取りリール１２，１３と、前記一対の余長巻取りリール１２，１３の中間に設けられた巻上げ部１４と、前記巻上げ部１４に一体に設けられ、各余長巻取りリール１２，１３を個別に回転できるように設けられた軸部２８，２９と、前記軸部２８，２９を回転するハンドル１９と、前記巻上げ部１４に設けられたコード送り機構１５と、前記コード送り機構１５を介して前記一対の余長巻取りリール１２，１３に渡され、それぞれ対応した各余長巻取りリール１２，１３に巻き取られる光コード１１と、前記各余長巻取りリール１２，１３を個別に回転できなくするキー２２，２３とを具備することを特徴とするものである。【選択図】図１
2007279142.tif 000002
【特許請求の範囲】
【請求項１】
光コードが巻取り可能な一対の回転部材と、
前記一対の回転部材の中間に設けられた巻上げ部と、
前記巻上げ部に一体に設けられ、各回転部材を個別に回転できるように設けられた軸部と、
前記軸部を回転する回転手段と、
前記巻上げ部に設けられたコード送り機構と、
前記コード送り機構を介して前記一対の回転部材に渡され、それぞれ対応した各回転部材に巻き取られる光コードと、
前記各回転部材を個別に回転できなくする回転阻止手段と
を具備することを特徴とする光コード収容物品。
【請求項２】
一方の回転部材に設けられた内歯車部と、他方の回転部材に設けられた太陽歯車部と、巻上げ部に設けられた遊星歯車とを有し、前記遊星歯車が前記内歯車部及び太陽歯車部にそれぞれ対応して噛合わされて遊星歯車機構が構成されることを特徴とする請求項１に記載の光コード収容物品。
【請求項３】
一対の回転部材及び巻上げ部がケースに収容されることを特徴とする請求項１又は２に記載の光コード収容物品。
【請求項４】
一方の回転部材から引出される光コードの一端の引出し方向と、他方の回転部材から引き出される光コードの他端の引き出し方向が、９０°もしくは１８０°に可変可能であるケースを用いることを特徴とする請求項１乃至３のいずれかに記載の光コード収容物品。
【請求項５】
軸部の回転を抑制するバネもしくはダンパー部材が設けられることを特徴とする請求項１乃至４のいずれかに記載の光コード収容物品。
【請求項６】
回転阻止手段が、回転部材に設けられたキー溝及び前記キー溝に挿入されるキーより構成されることを特徴とする請求項１乃至５のいずれかに記載の光コード収容物品。
【請求項７】
軸部の回転手段がハンドルより構成されることを特徴とする請求項１乃至６のいずれかに記載の光コード収容物品。
【請求項８】
光コードが、両端コネクタ付光コードより構成されることを特徴とする請求項１乃至７のいずれかに記載の光コード収容物品。
【請求項９】
請求項１乃至８のいずれかに記載の光コード収容物品を用いて、光コードを用いた配線を施工することを特徴とする光配線方法。
【請求項１０】
光キャビネットと光アウトレット間の屋内壁に光コードを用いた配線を施工することを特徴とする請求項９に記載の光配線方法。
【発明の詳細な説明】
【技術分野】
【０００１】
本発明は、例えばビル内又は住宅内へ配線される情報通信のための例えば光ファイバケーブル等の光コードの配線施工に用いられる光コード収容物品及び前記光コード収容物品を用いた光配線方法に関するものである。
【背景技術】
【０００２】
近年、情報通信の高度化、高速化に伴い、ビル内や住宅内への光配線の必要性が増大している。この際、主な光配線方法として、（１）壁面にステップルなどを設置し光コードを布設するもの、（２）壁面にワイヤプロテクタなどを設置しその内部に光コードを布設するもの、そして（３）壁裏に配管を設置しその内部に光コードを通線するものの３つがある。
【０００３】
配線を想定した配管が予め布設してないケースでは（１），（２）の光配線方法が採用されているが、美観とケーブル保護の観点では（３）の光配線方法が優れている。
【０００４】
上記、（１），（２）のような光配線を行なう際に構内配線用の光ファイバケーブルが用いられるのが一般的である。構内用光ファイバケーブルは両端にコネクタが付いたもの、コネクタが付いてないものがある。一般に構内における配線長はまちまちであるので、（４）十分に長い光ファイバケーブルを配線した後、配線長に合わせて光ファイバケーブルを切断し、光ファイバケーブルを成端する、（５）十分に長いコネクタ付きの光ファイバケーブルを用いて配線した後、余長を収容する箱を用意して余長を収容するか余長を巻いた状態で放置する、という２つの方法のいずれかがとられている。
【０００５】
この余長を収容する箱としては例えば特許文献１に示すものがある。
【特許文献１】特開２０００-３９５２６号公報
【発明の開示】
【発明が解決しようとする課題】
【０００６】
前記（４）の方法を用いて配線する場合、光ファイバケーブルの成端という専門スキルの必要な作業が発生するために施工者が限られる上、施工コストが高くなるという問題点がある。また、光ファイバケーブルの成端には一定以上の余長が必要となるため、別途余長収容機構を用意しなければならず、施工の煩雑化、美観の悪化の原因となっている。
【０００７】
また、前記（５）の方法を用いて配線する場合、余長の巻取り作業が煩雑な上、余長が巻取り径に対して中途半端な場合に備えて巻取り径に幅を持たせる必要があり、余長巻取り部が大きくなり美観を損なう。さらに一般に一度余長部を巻き始めてしまうと巻取り部から出ている光ファイバケーブルの量を左右それぞれ独立に自由に変更することは難しく、想定どおりに巻取り部を設置するには熟練を要する。
【０００８】
本発明は上記の事情に鑑みてなされたもので、光配線時に光コードを任意の長さに調整でき、余長の発生を抑制することができる光コード収容物品及び光配線方法を提供することを目的とする。
【課題を解決するための手段】
【０００９】
上記目的を達成するために本発明の光コード収容物品は、光コードが巻取り可能な一対の回転部材と、前記一対の回転部材の中間に設けられた巻上げ部と、前記巻上げ部に一体に設けられ、各回転部材を個別に回転できるように設けられた軸部と、前記軸部を回転する回転手段と、前記巻上げ部に設けられたコード送り機構と、前記コード送り機構を介して前記一対の回転部材に渡され、それぞれ対応した各回転部材に巻き取られる光コードと、前記各回転部材を個別に回転できなくする回転阻止手段とを具備することを特徴とするものである。
【００１０】
また本発明は、前記光コード収容物品において、一方の回転部材に設けられた内歯車部と、他方の回転部材に設けられた太陽歯車部と、巻上げ部に設けられた遊星歯車とを有し、前記遊星歯車が前記内歯車部及び太陽歯車部にそれぞれ対応して噛合わされて遊星歯車機構が構成されることを特徴とするものである。
【００１１】
また本発明は、前記光コード収容物品において、一対の回転部材及び巻上げ部がケースに収容されることを特徴とするものである。
【００１２】
また本発明は、前記光コード収容物品において、一方の回転部材から引出される光コードの一端の引出し方向と、他方の回転部材から引出される光コードの他端の引出し方向が、９０°もしくは１８０°に可変可能であるケースを用いることを特徴とするものである。
【００１３】
また本発明は、前記光コード収容物品において、軸部の回転を抑制するバネもしくはダンパー部材が設けられることを特徴とするものである。
【００１４】
また本発明は、前記光コード収容物品において、回転阻止手段が、回転部材に設けられたキー溝及び前記キー溝に挿入されるキーより構成されることを特徴とするものである。
【００１５】
また本発明は、前記光コード収容物品において、軸部の回転手段がハンドルより構成されることを特徴とするものである。
【００１６】
また本発明は、前記光コード収容物品において、光コードが、両端コネクタ付光コードより構成されることを特徴とするものである。
【００１７】
また本発明の光配線方法は、前記光コード収容物品を用いて、光コードを用いた配線を施工することを特徴とする。
【００１８】
また本発明は、前記光配線方法において、光キャビネットと光アウトレット間の屋内壁に光コードを用いた配線を施工することを特徴とする。
【発明の効果】
【００１９】
本発明は、光配線における余長の発生を抑制することが出来、余長に起因する作業の発生や美観の悪化を防ぐことが出来る。
【００２０】
また、光配線において、配線長に合わせて現場で成端する必要がなく、コネクタ付の光部品のみで施工できるので、配線作業の簡略化、それに伴う低コスト化が可能となる。
【発明を実施するための最良の形態】
【００２１】
以下図面を参照して本発明の実施の形態を詳細に説明する。
図１は本発明の第１の実施形態に係る光コード収容物品を示す分解構成説明図であり、図２は本発明の第１の実施形態に係る光コード収容物品を示す一部分解構成説明図である。
図１及び図２において、１１は両端コネクタ付光コード、１２は第１の余長巻取りリール（回転部材）、１３は第２の余長巻取りリール（回転部材）、１４は巻上げ部、１５はコード送り機構、１６は回転バネ、１７はケース、１８はケース蓋、１９はハンドル（回転手段）、２０，２１はキー溝（回転阻止手段）、２２，２３はキー（回転阻止手段）、２４，２５はコネクタ、２６，２７は回転用の孔、２８，２９は軸部、３０はハンドル嵌合部である。
【００２２】
図１及び図２に示すように、両端コネクタ付光コード１１は両端にそれぞれ対応してコネクタ２４，２５が取り付けられる。第１の余長巻取りリール１２及び第２の余長巻取りリール１３はそれぞれ外周面に光コードが巻取り可能な円板状に形成され、中心部には回転用の孔２６，２７が設けられると共に外周面には複数のキー溝２０，２１が厚み方向に設けられる。前記第１の余長巻取りリール１２及び第２の余長巻取りリール１３の中間には円板状の巻上げ部１４が配置され、前記巻上げ部１４の外周には例えば滑車等のコード送り機構１５が突出して設けられる。前記巻上げ部１４中心部の表面及び裏面にはそれぞれ対応して軸部２８，２９が突出して一体に設けられ、一方の軸部２８の先端部にはハンドル嵌合部３０が設けられる。前記巻上げ部１４の軸部２８，２９は第１の余長巻取りリール１２及び第２の余長巻取りリール１３の孔２６，２７にそれぞれ対応して回転自在に挿入され、各第１の余長巻取りリール１２及び第２の余長巻取りリール１３は個別に回転できるように設けられる。前記両端コネクタ付光コード１１は前記コード送り機構１５を介して前記第１の余長巻取りリール１２及び第２の余長巻取りリール１３に渡され、それぞれ対応した第１の余長巻取りリール１２及び第２の余長巻取りリール１３に巻き取られる。前記回転バネ１６は巻上げ部１４の回転を抑制するように設けられる。前記ケース蓋１８にはキー２２が第１の余長巻取りリール１２のキー溝２０に挿入可能にして設けられると共にハンドル１９が前記ハンドル嵌合部３０に嵌合して巻上げ部１４を回転可能にして設けられる。前記ケース１７にはキー２３が第２の余長巻取りリール１３のキー溝２１に挿入可能にして設けられる。前記キー２２，２３はそれぞれ対応したキー溝２０，２１に挿入することにより、第１の余長巻取りリール１２及び第２の余長巻取りリール１３の回転を阻止して個別に回転できなくする。前記両端コネクタ付光コード１１、第１の余長巻取りリール１２、第２の余長巻取りリール１３、巻上げ部１４、及び回転バネ１６はケース１７及びケース蓋１８内に収容される。
【００２３】
すなわち、前記第１の余長巻取りリール１２及び第２の余長巻取りリール１３は余長巻取り部を形成する。両端コネクタ付光コード１１は第１の余長巻取りリール１２及び第２の余長巻取りリール１３に同じだけの長さが巻かれるように左右逆向きに巻かれて収容され、第１の余長巻取りリール１２と第２の余長巻取りリール１３の間を渡す部分はコード送り機構１５に取り付けられる。巻上げ部１４は回転バネ１６によって常に両端コネクタ付光コード１１を巻き上げる方向に適切な力が加わっている。回転バネ１６は巻上げ部１４とケース１７に固定されて巻上げ部１４に対してバネ力を発揮することが可能である。さらにケース蓋１８を取り付け、ハンドル１９と巻上げ部１４のハンドル嵌合部３０を噛み合わせることでハンドル１９の操作によって巻上げ部１４を回転させることが可能である。尚、第１の余長巻取りリール１２と巻上げ部１４、第２の余長巻取りリール１３と巻上げ部１４、巻上げ部１４とコード送り機構１５は互いに固定されず、自由に回転することができる。また、キー２２，２３を操作することでキー２２，２３がキー溝２０，２１に噛み込み、第１の余長巻取りリール１２と第２の余長巻取りリール１３の回転を止めることが出来る。
【００２４】
これを組み立てた状態で例えば第１の余長巻取りリール１２を固定し、第２の余長巻取りリール１３側の光コード１１を引き出すと、光コード１１が引き出されることにより第２の余長巻取りリール１３が回転する。第２の余長巻取りリール１３の回転により第１の余長巻取りリール１２の光コード１１も解けるが第１の余長巻取りリール１２の光コード１１は第２の余長巻取りリール１３の光コード１１と逆巻きに巻いてあるので第１の余長巻取りリール１２は回転しないままで良い。第１の余長巻取りリール１２から第２の余長巻取りリール１３への渡し部の光コード１１が緩まないように巻上げ部１４が作用するので、光コード１１はコード送り機構１５によって第１の余長巻取りリール１２側から第２の余長巻取りリール１３側へ送られ、結果として左右のリールの巻き量はバランスをとったまま推移する。これは第２の余長巻取りリール１３を固定し第１の余長巻取りリール１２側から光コード１１を引き出したときにも成り立つので、第１の余長巻取りリール１２側及び第２の余長巻取りリール１３側の光コード１１はそれぞれ独立に互いに干渉せずに引き出せることになる。
【００２５】
出し過ぎた光コード１１の余長を巻き上げる時は例えば第２の余長巻取りリール１３側の余長を巻き上げたい時は第１の余長巻取りリール１２を固定し、ハンドル１９を操作して巻上げ部１４を巻上げ方向に回転させる。その結果、上記と逆の動きが発生し、左右の巻き量のバランスをとったまま巻き上げることが可能である。このような働きによって第１の余長巻取りリール１２側及び第２の余長巻取りリール１３側の光コード１１をそれぞれ独立に互いに干渉せずに巻き上げることが可能である。
【００２６】
図３は本発明の第２の実施形態に係る光コード収容物品を示す分解構成説明図である。図３中、図１と同様な部分は同一符号を付して説明する。図３において、３１は遊星歯車、３２は内歯車部、３３は太陽歯車部である。尚、図中の歯車サイズ、歯数は必ずしも正確ではない。
【００２７】
図３に示すように、第１の余長巻取りリール１２の巻上げ部１４側の面には内歯車部３２が設けられ、前記内歯車部３２は第１の余長巻取りリール１２の回転軸と同心円状に突出した突出部の内側に歯車が形成されて構成される。第２の余長巻取りリール１３の巻上げ部１４側の面には太陽歯車部３３が設けられ、前記太陽歯車部３３は第２の余長巻取りリール１３の回転軸と同心円状に突出した突出部の外側に歯車が形成されて構成される。巻上げ部１４の周辺部近傍には遊星歯車３１用の軸受け穴が軸方向に設けられ、この軸受け穴に遊星歯車３１の軸部が合わされるように挿入されて組み立てられる。遊星歯車３１と巻上げ部１４は互いに固定されず、自由に回転することができる。遊星歯車３１は内歯車部３２と噛合わされると共に太陽歯車部３３に噛合わされ、それぞれ遊星歯車機構を構成するように組み立てられる。その他は第１の実施形態と同様に組み立てられる。
【００２８】
尚、第１の余長巻取りリール１２、第２の余長巻取りリール１３、巻上げ部１４、コード送り機構１５と光コード１１の動きは第１の実施形態と同様に作用するが、第２の実施形態では遊星歯車機構の歯車サイズ、歯数を調整することにより、第１の余長巻取りリール１２と巻上げ部１４、第２の余長巻取りリール１３と巻上げ部１４の回転角の比を２対１に固定することが出来る。これにより、余長巻取り機構の働きの信頼性を向上することが可能である。
【００２９】
図４は本発明の第３の実施形態に係る光コード収容物品を示す分解構成説明図である。図４中、図１と同様な部分は同一符号を付して説明する。図４において、４１は巻上げ部１４の緩み方向の回転に摩擦を与えるダンパー部品である。ダンパー部品４１は巻上げ部１４の巻取り方向の回転に摩擦力を与えるものでも構わないし、巻上げ部１４の回転力を減少させて回転を抑制するものであれば、与えるのは摩擦力でなくても構わない。
【００３０】
ダンパー部品４１が第１の実施形態の回転バネ１６に代わる他は第１の実施形態と同様に組み立てられ、同様に作用する。この場合、第１の余長巻取りリール１２、第２の余長巻取りリール１３、巻上げ部１４、コード送り機構１５と光コード１１の動きは第１の実施形態と同様に作用するが、第３の実施形態ではダンパー部品４１が巻上げ部１４の回転力を抑制することで光コード１１を引き出した時に巻上げ部１４、コード送り機構１５が第１の余長巻取りリール１２と第２の余長巻取りリール１３間の光コード１１を渡す役割をする。この構造により、余長巻取り機構の働きの信頼性は下がる可能性が高いが、このように構造を簡略化することで光部品を低コストに実現できる可能性がある。また、実際の配線作業においては、光コード１１の引出しは通常両側一度づつ、巻き戻しも一度づつであると考えられるので、このような繰り返しの引出し／巻戻し作業を行なわない環境では、この構造でも十分有効であると考えられる。
【００３１】
図５は本発明の第４の実施形態に係る光コード収容物品を示す一部分解構成説明図である。図５中、図１と同様な部分は同一符号を付して説明する。図５において、５１がケース、５２がケース蓋である。図５に示すように、ケース５１のコード引出し口近傍にはコード送り機構５３が設けられ、コード送り機構５３は例えば滑車のような構造で実現可能である。ケース蓋５２にはスリット部５４が図５のケース蓋５２の下部に当る場所から９０°曲がって延びて設けられ、このスリット部５４から光コード１１がケース外に出る。スリット部５４はスリット蓋５５で蓋をされ、スリット部５４のスリット蓋５５を開けた部分がコード繰出し部５６となる。第４の実施形態ではスリット蓋５５を開けて光コードを繰出すコード繰出し部５６をスリット部５４に沿って変えることで、コード繰出し部５６から引出される光コード１１の一端の引出し方向を、光コード１１の他端の引出し方向との成す角を９０°と１８０°に可変することが出来る。すなわち、光コード収容物品を壁の角部に取り付けて、光コード１１の両端を直角方向に引き出したり、あるいは光コード収容物品を壁の平面に取り付けて、光コード１１の両端を直線方向に引出すことができ、これにより光部品を用いた光配線の自由度を広げることが可能である。尚、その他は第１の実施形態と同様に組み立てられ、同様に作用する。
【００３２】
図６〜８は本発明の実施形態に係る光配線方法を示す構成説明図である。図６〜８において、６０は第１乃至４のいずれかの実施形態に係る光コード収容物品、６１は光コード、６２は外壁、６３は屋内壁、６４は光キャビネット、６５は光アウトレット、６６は光ステップル、６７は光モール、６８はドロップケーブルである。
【００３３】
図６に示すように、先ず、光キャビネット６４、光アウトレット６５を必要な場所に取り付ける。図６では光キャビネット６４は外壁６２に取り付けられ、光アウトレット６５は屋内壁６３に取り付けられる。前記光キャビネット６４にはドロップケーブル６８が接続される。光コード収容物品６０は配線路上の任意の場所例えば屋内壁６３に取り付けられる。そして光コード収容物品６０から光アウトレット６５に屋内壁６３に沿って光コード６１を伸ばし、コネクタ接続によって光コード６１と光アウトレット６５を接続する。この後、図７に示すように、光コード６１の余長を光コード収容物品６０の内部に巻取り、光ステップル６６で光コード６１を固定して配線する。次に、図８に示すように、光コード収容物品６０から光キャビネット６４に屋内壁６３から外壁６２に沿って光コード６１を伸ばし、コネクタ接続によって光コード６１と光キャビネット６４を接続する。この後、光コード６１の余長を光コード収容物品６０の内部に巻取り、光ステップル６６で光コード６１を固定して配線する。
【００３４】
すなわち、光コード収容物品６０を用いて、光キャビネット６４と光アウトレット６５間の屋内壁に光コード６１を用いた配線を施工することを特徴とする。
図６〜８の実施形態では光アウトレット６５、光キャビネット６４の順で光コード収容物品６０と接続しているが、逆の順番でも構わない。また、光コード６１の固定に光ステップル６６を用いているが、光モールなど、他の光配線用治具を用いても構わない。また、光コード収容物品６０の設置場所を配線路途中の曲がり部としているが、直線部でも構わないし、光キャビネット、光アウトレットと一体化しても構わない。また、光コード収容物品６０に内包する光コード６１だけでは配線長に足らない場合は通常の光コードによって継ぎ足して配線しても良い。この場合は光コード収容物品６０から光キャビネット６４、光アウトレット６５への配線路長より短い光コードを利用することで、継ぎ足し用光コードの全長を使い切ることが可能であり、継ぎ足し用光コードのために新たな余長収容部を用意する必要は無い。
【００３５】
以上のように、両端にコネクタが成端され、予め光コード収容物品に配線長調節用の余長が巻き取られた余長巻取り部を持つ光コードを用いて配線する。光コード収容物品は、巻取り部から出てる両側の光コードをそれぞれ独立に任意の長さに調整できる。
【００３６】
この実施形態の光配線方法では、光コード収容物品を配線経路上の任意の場所に設置し、その後、光コード収容物品より配線に必要な長さの余長を引き出し、光コードの端に取り付けられたコネクタで配線経路両端の光アウトレット等の配線部品と接続する。その際に光コードの長さが余った場合には、もう一度余った長さを光コード収容物品に巻き取る。このような光配線方法を用いることで余長の発生しない配線を行なうことが可能となる。
【００３７】
また、前記光配線方法で光コード収容物品に収納されている余長が配線長に足りない場合、必要な配線長より短い、既定長の両端コネクタ付光コードを１本又は複数本利用して配線経路の端から配線し、その光コードで足りない部分を光コード収容物品で補うものとする。
【００３８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３９】
【図１】本発明の第１の実施形態に係る光コード収容物品を示す分解構成説明図である。
【図２】本発明の第１の実施形態に係る光コード収容物品を示す一部分解構成説明図である。
【図３】本発明の第２の実施形態に係る光コード収容物品を示す分解構成説明図である。
【図４】本発明の第３の実施形態に係る光コード収容物品を示す分解構成説明図である。
【図５】本発明の第４の実施形態に係る光コード収容物品を示す一部分解構成説明図である。
【図６】本発明の実施形態に係る光配線方法を示す構成説明図である。
【図７】本発明の実施形態に係る光配線方法を示す構成説明図である。
【図８】本発明の実施形態に係る光配線方法を示す構成説明図である。
【符号の説明】
【００４０】
１１…両端コネクタ付光コード、１２…第１の余長巻取りリール（回転部材）、１３…第２の余長巻取りリール（回転部材）、１４…巻上げ部、１５…コード送り機構、１６…回転バネ、１７…ケース、１８…ケース蓋、１９…ハンドル（回転手段）、２０，２１…キー溝（回転阻止手段）、２２，２３…キー（回転阻止手段）、２４，２５…コネクタ、２６，２７…回転用の孔、２８，２９…軸部、３０…ハンドル嵌合部。
【図１】
2007279142.tif 000003
【図２】
2007279142.tif 000004
【図３】
2007279142.tif 000005
【図４】
2007279142.tif 000006
【図５】
2007279142.tif 000007
【図６】
2007279142.tif 000008
【図７】
2007279142.tif 000009
【図８】
2007279142.tif 000010